(57)【要約】【課題】部品点数や消費電力の増加を抑えて、暗い環境の中でも、室内灯を点灯させる操作を容易にかつ確実にし、室内灯で照明されたスイッチパネルから所望の操作スイッチを容易に選択できるようにする。【解決手段】作業機械の運転室席１には、オペレータが座る運転席２の近傍で、かつその前方左右側に右操作レバー４と左操作レバー５とが設けられ、運転席２の右側に室内灯８用のメイン操作スイッチ７などの操作スイッチが配列された操作スイッチパネル６が設置されており、メイン操作スイッチ７を操作することにより、室内灯８を点灯させたり、消灯させたりすることができる。また、右操作レバー４には、室内灯８用のサブ操作スイッチ９が設けられ、このサブ操作スイッチ９を操作しても、室内灯８を点灯させたり、消灯させたりすることができる。【選択図】図１
2009137538.tif 000002
【特許請求の範囲】
【請求項１】
作業機械の運転室に設けられた操作スイッチパネルに室内灯用のメイン操作スイッチが設けられ、該メイン操作スイッチを操作することにより、該室内灯が点灯，消灯する作業機械の室内灯装置において、
該運転室内の運転席の近傍のオペレータが認識し易い位置に、該室内灯用のサブ操作スイッチを設けたことを特徴とする作業機械の室内灯装置。
【発明の詳細な説明】
【技術分野】
【０００１】
本発明は、建設機械などの作業機械において、その運転室での室内灯の点灯，消灯を行なうための室内灯装置に関する。
【背景技術】
【０００２】
従来、建設機械や建設機械などの作業機械では、その運転室に作業機械の前方を照らす前照灯や作業現場を照らす作業灯，運転室内を明るくする室内灯などの照明灯を点灯，消灯するための操作スイッチが配列された操作スイッチパネルが設けられ、かかる操作スイッチパネルで所望の操作スイッチを選択操作することにより、これに該当する照明灯の点灯，消灯を行なうことができるようにしている。
【０００３】
ところで、操作スイッチパネルでのこのような所望の操作スイッチの選択は、オペレータの目視による認識によって行なわれるため、夜間などの周囲が暗くなった環境内での作業では、オペレータは所望の操作スイッチの認識・選択を目視によって行なうことができず、手探りで行なったり、室内灯を点灯させることによって行なっていた。
【０００４】
このような問題を解消するものとして、前照灯や作業灯などのライトを点灯，消灯させるためのライトスイッチを暗闇の中でも容易に認識できるようにした技術が提案されている（例えば、特許文献１参照）。
【０００５】
即ち、この特許文献１に記載の技術は、操作スイッチパネルにこれを照明するパネルランプが設けられ、スタータスイッチ（イグニッションスイッチ）を、キーにより、ＯＮ状態とすると、かかるパネルランプが点灯して操作スイッチパネルを照明するものである。
【特許文献１】特開平１１−３３６１３７号公報
【発明の開示】
【発明が解決しようとする課題】
【０００６】
ところで、上記特許文献１に記載の技術では、室内灯とは別に、操作スイッチパネルを照明するための照明装置（パネルランプ）を設けているため、照明装置が増えて部品点数の増加を招くことになるし、また、スタータスイッチがＯＮ状態にあるときには、パネルランプが常時点灯した状態に保持されるから、消費電力の増加を招くことになる。上記特許文献１には、かかる消費電力の増加を抑えるために、暗くなったときのみＯＮ状態となる開閉スイッチを設け、スタータスイッチがＯＮ状態にあっても、この開閉スイッチにより、パネルランプが点灯するようにした技術も開示されているが、このような技術では、さらに、部品点数が大幅に増加するし、やはり周囲が暗い環境にあるときには、スタータスイッチがＯＮ状態にある限り、操作パネルを使用しないときもパネルランプは点灯状態を続けることとなり、無駄な電力が消費されることになる。
【０００７】
本発明の目的は、かかる問題を解消し、部品点数や消費電力の増加を抑えて、暗い環境の中でも、室内灯を点灯させる操作を容易にかつ確実にし、容易に室内灯の照明のもとにスイッチパネルから所望の操作スイッチを選択できるようにした作業機械の室内灯装置を提供することにある。
【課題を解決するための手段】
【０００８】
上記目的を達成するために、本発明は、作業機械の運転室に設けられた操作スイッチパネルに室内灯の操作メインスイッチが設けられ、この操作メインスイッチを操作することにより、室内灯を点灯，消灯する作業機械の室内灯装置であって、オペレータの座席の近傍のオペレータが認識し易い位置に、室内灯の操作サブスイッチを設けたことを特徴とするものである。
【発明の効果】
【０００９】
本発明によれば、オペレータは室内灯のサブスイッチを容易に認識して操作することができ、これによって室内灯が点灯することにより、室内灯で照明された操作スイッチパネルで任意の操作スイッチを選択操作することが可能な状態に容易にすることができる。
【発明を実施するための最良の形態】
【００１０】
以下、本発明の実施形態を図面を用いて説明する。
【００１１】
図１は作業機械の室内点灯装置の一実施形態を示す図であって、１は運転室、２は運転席（オペレータの座席）、３は床、４は右操作レバー、５は左操作レバー、６は操作スイッチパネル、７は室内灯用のメイン操作スイッチ、８は室内灯、９は室内灯用のサブ操作スイッチである。
【００１２】
同図において、作業機械の運転室１には、オペレータが座る運転席２の近傍でその右側前方に右操作レバー４が、同じく左側前方に左操作レバー５が夫々配置されており、オペレータが運転席２に坐りながらこれら右操作レバー４や左操作レバー５を操作することにより、作業機械に作業させる。
【００１３】
また、運転席２の、例えば、右側には、前方を照明するヘッドライトや作業現場を照明する作業灯などを点灯，消灯させるための操作スイッチや室内灯用のメイン操作スイッチ７などの各種の操作スイッチが設けられた操作スイッチパネル６が配置されており、この操作スイッチパネル６には、夫々の操作スイッチの名称などが記された銘板が取り付けられ、夫々の操作スイッチが容易に判別できるようにしている。
【００１４】
そして、運転室１内には、所定の場所、例えば、運転席２の右側の運転室１の壁面上部に室内灯８が設けられており、操作スイッチパネル６での室内灯８用のメイン操作スイッチ７が操作されることにより、この室内灯８が点灯したり，消灯したりする。従って、周囲が暗い環境内では、この室内灯８を点灯させることにより、操作スイッチパネル６の銘板が見易くなり、操作スイッチパネル６での各操作スイッチを容易に認識でき、所望とする操作スイッチを確実に選択して操作することができる。
【００１５】
ところで、この実施形態では、さらに、右操作レバー４に室内灯８用のサブ操作スイッチ９が設けられており、オペレータがこのサブ操作スイッチ９を操作することにより、室内灯８を点灯、あるいは消灯させることができる。
【００１６】
そこで、座席に座ってレバー４，５などを操作して作業機械を運転し、建設現場などで作業などしているオペレータは、周囲が暗い環境内では、操作スイッチパネル６を手探りして室内灯操作スイッチ７を探すようなことをすることなく、身近にある右操作レバー４に設けられたサブ操作スイッチ９を操作することで、室内灯８を点灯させることができ、また、点灯している室内灯８を消灯させることができる。ここで、右操作レバー４は、運転席２に座っているオペレータにとっては無意識に認識できる位置、即ち、認識し易い位置に設定されているものであって、従って、この右操作レバー４に設けられているサブ操作スイッチ９も、運転席２に座っているオペレータにとっては無意識に認識できる位置に設けられていることになり、暗がりの中でも、このサブ操作スイッチ９を容易にかつ即座に操作できて室内灯８を点灯させたり、消灯させたりすることが可能となる。
【００１７】
図２は図１における室内灯装置の回路構成の一具体例を示す回路図であって、１０は直流電源であり、図１に対応する部分には同一符号をつけて重複する説明を省略する。
【００１８】
同図において、室内灯８の一方の端子は直流電源１０に接続され、他方の端子は、開閉スイッチとしての室内灯８用のメイン操作スイッチ７を介して接地されている。また、このメイン操作スイッチ７に並列に、開閉スイッチとしてのサブ操作スイッチ９が接続されて設けられている。
【００１９】
そこで、オペレータがメイン操作スイッチ７をＯＮ（閉成）操作すると、直流電源１０から室内灯８に電力が供給されて室内灯８が点灯し、メイン操作スイッチ７をＯＦＦ（開成）操作すると、直流電源１０から室内灯８への電力の供給が中断して室内灯８が消灯する。同様にして、サブ操作スイッチ９をＯＮ操作すると、直流電源１０から室内灯８に電力が供給されて室内灯８が点灯し、サブ操作スイッチ９をＯＦＦ操作すると、直流電源１０から室内灯８への電力の供給が中断して室内灯８が消灯する。
【００２０】
これに対し、図３は従来の作業機械に設けられている室内灯装置の回路構成を示すものであるが、かかる従来の室内灯装置では、メイン操作スイッチ７のみが設けられているため、このメイン操作スイッチ７のＯＮ／ＯＦＦ操作でしか、室内灯８を点灯，消灯させることができない。このため、暗がりの中で室内灯８を点灯させるためには、操作スイッチパネルで手探りでこのメイン操作スイッチ７を探し出すという手間のかかる作業をオペレータに強いることになる。
【００２１】
このように、この実施形態では、オペレータが無意識に探し出せる右操作レバー４にサブ操作スイッチ９が設けられているため、オペレータは容易にこのサブ操作スイッチ９を認識できて操作でき、室内灯８の点灯，消灯を行なわせることができる。
【００２２】
また、この実施形態では、サブ操作スイッチ９としての開閉スイッチを右操作レバー４に、室内灯メイン操作スイッチ７に対して並列接続となるように、配線して設ければよいため、操作スイッチパネル６を照明する専用の照明灯も必要ではなく、配線も簡単であって、部品点数も格別増加するものではないし、また、オペレータの操作によって必要なときだけ室内灯８を点灯させることができるため、消費電力の増加も抑えることができる。
【００２３】
なお、上記の実施形態では、サブ操作スイッチ９を右操作レバー４に設けたが、他の操作手段、例えば、左操作レバー５に設けるようにしてもよいし、また、かかる操作手段に限らず、運転席２の近傍でそこに座っているオペレータが容易に認識でき、かつ操作がし易い位置、例えば、床３でのオペレータの足元でその足で操作し易い位置に設けるようにしてもよい。
【００２４】
また、操作スイッチパネル６も、図１に示す位置に限らず、運転席２の前方など、運転席２に座ったオペレータがスイッチ操作できる範囲内の他の場所に設けるようにしてもよい。
【図面の簡単な説明】
【００２５】
【図１】本発明による作業機械の室内点灯装置の一実施形態を示す図である。
【図２】図１における室内灯装置の回路構成の一具体例を示す回路図である。
【図３】従来の作業機械に設けられている室内灯装置の回路構成を示す図である。
【符号の説明】
【００２６】
１  運転室
２  運転席
３  床
４  右操作レバー
５  左操作レバー
６  操作スイッチパネル
７  室内灯用のメイン操作スイッチ
８  室内灯
９  室内灯用のサブ操作スイッチ
１０  直流電源
【図１】
2009137538.tif 000003
【図２】
2009137538.tif 000004
【図３】
2009137538.tif 000005